(57)【要約】【課題】本発明は、多種の放熱装置を装着できる支持架を有する発光ダイオードランプを提供することを目的とする。【解決手段】本発明に係る発光ダイオードランプは、開口が対向する２つの縦長の側板を有する収容部及び引っ掛け部を備えてなり、各々の側板は、上固定部、下固定部、前記上固定部と前記下固定部を連接する連接部を有し、前記引っ掛け部は前記２つの上固定部の間に連接される支持架と、前記２つの側板の２つの連接部の間に設置される放熱基板及び該放熱基板の表面に設置される放熱フィンを備える放熱モジュールと、前記放熱基板の放熱フィンが設置されていない表面に設置される発光ダイオードモジュールと、前記２つの側板の間に設置され、前記発光ダイオードモジュールからの光線を反射する反射モジュールと、前記２つの側板の２つの下固定部の間に設置されるランプカバーと、前記引っ掛け部に設置される電源駆動モジュールと、を備える。【選択図】図４
2010219049.tif 000002
【特許請求の範囲】
【請求項１】
開口が対向する２つの縦長の側板を有する収容部及び引っ掛け部を備えてなり、各々の側板は、上固定部、下固定部、前記上固定部と前記下固定部を連接する連接部を有し、前記引っ掛け部は前記２つの上固定部の間に連接される支持架と、
前記２つの側板の２つの連接部の間に設置される放熱基板及び該放熱基板の表面に設置される放熱フィンを備える放熱モジュールと、
前記放熱基板の放熱フィンが設置されていない表面に設置される発光ダイオードモジュールと、
前記２つの側板の間に設置され、前記発光ダイオードモジュールからの光線を反射する反射モジュールと、
前記２つの側板の２つの下固定部の間に設置されるランプカバーと、
前記引っ掛け部に設置される電源駆動モジュールと、
を備えることを特徴とする発光ダイオードランプ。
【請求項２】
前記２つの側板の２つの下固定部の長手方向に沿って前記ランプカバーの２つの端縁を収容する２つの縦長の溝が開設されることを特徴とする請求項１に記載の発光ダイオードランプ。
【請求項３】
前記２つの溝の上壁は前記収容部の内部に向かって斜めに延在する２つの延伸板を形成することを特徴とする請求項２に記載の発光ダイオードランプ。
【請求項４】
前記反射モジュールは、対向して設置される反射面及び側面を有する２つの第一反射板を備え、前記２つの第一反射板の２つの側面は、前記２つの延伸板にそれぞれ当接し、前記第一反射板の縦長の２つの側辺は、それぞれ前記発光ダイオードモジュール及び前記ランプカバーに当接することを特徴とする請求項３に記載の発光ダイオードランプ。
【請求項５】
前記２つの側板の２つの連接部の内表面からそれぞれ２つの縦長のフランジが互いに離間して突出し、前記放熱基板の縦長の２つの端縁は、前記連接部の２つのフランジの間にそれぞれ収容されることを特徴とする請求項１に記載の発光ダイオードランプ。
【請求項６】
前記支持架は、前記側板の長手方向の２つの端部に設置される２つのバッフル板をさらに備え、前記２つの側板及び前記２つのバッフル板によって前記収容部の収容空間を形成し、前記反射モジュールは、別々に前記２つのバッフル板に固定され且つ前記収容空間に収容される２つの第二反射板をさらに備えることを特徴とする請求項１に記載の発光ダイオードランプ。
【発明の詳細な説明】
【技術分野】
【０００１】
本発明は、発光ダイオードランプに関するものであって、特に多種の放熱装置を装着できる支持架を有する発光ダイオードランプに関するものである。
【背景技術】
【０００２】
発光ダイオード（Ｌｉｇｈｔ  Ｅｍｉｔｔｉｎｇ  Ｄｉｏｄｅ，ＬＥＤ）は、低消費電力、長寿命である等の利点を有することから、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）に代わり照明装置の発光素子として使用される。発光ダイオードが作動する時に生じる熱量を即時に放熱しなければ、発光ダイオードの発光効率を低減させる。従来の発光ダイオードランプは、放熱装置及び該放熱装置の片側に装着される複数の発光ダイオードを備える。前記複数の発光ダイオードが点灯される時に生じる熱量は、前記放熱装置によって周囲の空気に放熱される。
【０００３】
しかし、異なる構造及び寸法を有する放熱装置を取り付けるために、前記発光ダイオードランプの支持架の構造及び寸法も対応して変更しなければならない。
【発明の概要】
【発明が解決しようとする課題】
【０００４】
本発明の目的は、前記課題を解決し、多種の放熱装置を装着できる支持架を有する発光ダイオードランプを提供することである。
【課題を解決するための手段】
【０００５】
本発明に係る発光ダイオードランプは、開口が対向する２つの縦長の側板を有する収容部及び引っ掛け部を備えてなり、各々の側板は、上固定部、下固定部、前記上固定部と前記下固定部とを連接する連接部を有し、前記引っ掛け部は前記２つの上固定部の間に連接される支持架と、前記２つの側板の２つの連接部の間に設置される放熱基板及び該放熱基板の表面に設置される放熱フィンを備える放熱モジュールと、前記放熱基板の放熱フィンが設置されていない表面に設置される発光ダイオードモジュールと、前記２つの側板の間に設置され、前記発光ダイオードモジュールからの光線を反射する反射モジュールと、前記２つの側板の２つの下固定部の間に設置されるランプカバーと、前記引っ掛け部に設置される電源駆動モジュールと、を備える。
【発明の効果】
【０００６】
本発明に係わる発光ダイオードランプにおいて、収容部の２つの側板の間の距離を調整することにより、異なる幅を有する放熱基板と配合することができ、従って支持架は多種の放熱装置を装着できる。
【図面の簡単な説明】
【０００７】
【図１】本発明の実施形態に係る発光ダイオードランプの立体組立図である。
【図２】図１に示す発光ダイオードランプの立体分解図である。
【図３】図１に示す発光ダイオードランプの別の視角からの立体分解図である。
【図４】図１に示す発光ダイオードランプの断面拡大図である。
【発明を実施するための形態】
【０００８】
以下、図面を参照して、本発明の実施形態について説明する。
【０００９】
図１〜図３に示したように、本発明の実施形態に係る発光ダイオードランプは、支持架１０と、放熱装置２０と、発光ダイオードモジュール３０と、反射モジュール４０と、ランプカバー５０と、電源駆動モジュール６０と、を備える。
【００１０】
前記支持架１０は、縦長の収容部１１及び引掛け部１２を備える。前記支持架１０は、ポリカーボネート（Ｐｏｌｙｃａｒｂｏｎａｔｅ，ＰＣ）、ポリメタクリル酸メチル樹脂（Ｐｏｌｙｍｅｔｈｙｌ  ｍｅｔｈａｃｒｙｌａｔｅ，ＰＭＭＡ）のようなプラスチック材料又はアルミニウムなどのような金属材料からなる。
【００１１】
前記収容部１１は、対向する２つの縦長の側板１１１と、対向する２つのバッフル板１１２と、を備える。各々の側板１１１の横断面は曲面であって、本実施形態においては半楕円形である。前記２つの側板１１１の開口は対向し、前記２つの側板１１１は互いに離間して設置され、前記２つのバッフル板１１２は前記側板１１１の長手方向の２つの端部に設置され、前記２つの側板１１１及び前記２つのバッフル板１１２によって収容空間を形成する。前記発光ダイオードモジュール３０及び前記反射モジュール４０は、前記収容空間内に設置される。
【００１２】
図４に示したように、各々の側板１１１は、上固定部１１２０と、下固定部１１１０と、前記上固定部１１２０と前記下固定部１１１０との間に連接される連接部１１３０と、を備える。前記上固定部１１２０は、前記引掛け部１２と係合することに用いられ、前記下固定部１１１０は、前記ランプカバー５０と係合することに用いられる。前記下固定部１１１０の厚さは、前記連接部１１３０の厚さより大きい。前記下固定部１１１０の長手方向に沿って上壁１１１２及び下壁１１１３を有する縦長の溝１１１１が開設される。前記２つの側板１１１の２つの下固定部１１１０の２つの溝１１１１は、前記ランプカバー５０の２つの端縁を収容することに用いられ、前記ランプカバー５０は前記２つの側板１１１の２つの下固定部１１１０の間に固定される。前記上壁１１１２は、前記収容部１１の収容空間内に向かって斜めに延在する延伸板１１１４を形成する。
【００１３】
前記連接部１１３０の前記上固定部１１２０に近接する内表面から２つの縦長のフランジが互いに離間して突出し縦長の溝１１３１を形成する。前記放熱装置２０は、放熱基板２１及び該放熱基板２１の１つの表面から延在する複数の放熱フィン２２を備える。前記放熱基板２１の縦長方向の２つの端縁は、前記２つの側板１１１の２つの連接部１１３０の２つの溝１１３１内に収容されて、前記放熱装置２０は前記２つの側板１１１の２つの連接部１１３０の間に固定される。前記発光ダイオードモジュール３０は、前記放熱装置２０の放熱基板２１における放熱フィン２２が設置されていない表面に設置される。
【００１４】
図２〜図４に示したように、前記発光ダイオードモジュール３０は、矩形の金属基板３１を備え、複数の発光ダイオード３２は前記金属基板３１の１つの表面に設置される。前記金属基板３１の構造及び寸法は、前記放熱装置２０の放熱基板２１の構造及び寸法とほぼ同じである。前記金属基板３１の前記発光ダイオード３２が設置される表面に回路が設置され、且つ該表面の１つの対角線の両端に前記回路に対して通電する接線端子３３がそれぞれ設置される。前記発光ダイオードモジュール３０の金属基板３１における発光ダイオード３２が設置されていない表面は、前記放熱装置２０の放熱基板２１における放熱フィン２２が設置されていない表面に当接する。
【００１５】
前記反射モジュール４０は、縦長の略矩形板状の第一反射板４１及び第二反射板４２を備え、前記複数の発光ダイオード３２からの光線を反射することに用いられる。前記第一反射板４１及び前記第二反射板４２は、対向する反射面及び側面を備え、前記第一反射板４１及び前記第二反射板４２の側面は前記２つの延伸板１１１４にそれぞれ当接される。前記第一反射板４１の縦長の２つの側辺は、それぞれ前記発光ダイオードモジュール３０の金属基板３１及び前記ランプカバー５０に当接し、前記第一反射板４１における前記金属基板３１の１つの接線端子３３に対応する位置に切欠部が設置される。前記第二反射板４２の縦長の２つの側辺は、それぞれ前記発光ダイオードモジュール３０の金属基板３１及び前記ランプカバー５０に当接して、前記第二反射板４２における前記金属基板３１の他の接線端子３３に対応する位置に切欠部が設置される。前記２つの延伸板１１１４は、台形の開口を形成し、即ち前記開口は前記発光ダイオードモジュール３０から前記ランプカバー５０に向かってだんだん拡大されて、前記ランプカバー５０から射出する光線の発光角度を拡大する。
【００１６】
光反射効果を向上するために、前記反射モジュール４０は、第一側反射板４３及び第二側反射板４４を更に備える。前記第一側反射板４３及び前記第二側反射板４４は、前記第一反射板４１及び前記第二反射板４２の長手方向の２つの端部に位置する。前記第一側反射板４３及び前記第二側反射板４４は、それぞれ前記２つのバッフル板１１２に固定され且つ前記収容部１１の収容空間に収容される。
【００１７】
前記第一反射板４１、前記第二反射板４２、前記第一側反射板４３及び前記第二側反射板４４は、優れた光反射性を有する材料からなり、本実施形態においては、ポリカーボネートからなる。
【００１８】
前記引掛け部１２は、プラスチック材料から一体成型される構造であって、積載板１２１及び該積載板１２１の両端から上へ向かって延在する２つの支持板１２２を備える。前記電源駆動モジュール６０は、前記積載板１２１の内表面に設置され且つ前記２つの支持板１２２の間に位置する。各々の支持板１２２は、アーチ形の本体１２２ａ及び該本体１２２ａから外へ斜めに延在する係合板１２２ｂを備える。前記２つの支持板１２２の２つのアーチ形の本体１２２ａの開口は対向し、前記引掛け部１２の内部空間における中間層の幅が上下両端の幅より大きい。前記２つの支持板１２２の２つのアーチ形の本体１２２ａの上端は、前記２つの側板１１１の２つの上固定部１１２０の間に挟まれ、前記２つの支持板１２２の２つの係合板１２２ｂの外表面は、前記２つの側板１１１の２つの上固定部１１２０の内表面に当接する。
【００１９】
本発明の実施形態に係わる発光ダイオードランプを組み立てる場合、先ず、前記放熱装置２０の放熱基板２１の縦長の２つの端縁を前記２つの側板１１１の２つの溝１１３１に滑り込ませ、前記発光ダイオードモジュール３０を前記放熱基板２１の放熱フィン２２が設置されていない表面に設置する。次に、前記ランプカバー５０の縦長の２つの端縁を前記２つの側板１１１の２つの下固定部１１１０の２つの溝１１１１に滑り込ませ、前記第一反射板４１及び前記第二反射板４２を前記２つの側板１１１の２つの下固定部１１１０の２つの延伸板１１１４にそれぞれ固定する。次に、前記電源駆動モジュール６０を前記引っ掛け部１２の積載板１２１に固定してから、ねじによって前記引っ掛け部１２の２つの支持板１２２の２つの係合板１２２ｂの外表面を前記２つの側板１１１の２つの上固定部１１２０の内表面に螺合する。最後に、ねじによって前記第一側反射板４３及び前記第二側反射板４４を前記２つのバッフル板１１２と一緒に前記側板１１１の長手方向の両端に固定する。
【００２０】
本実施形態において、前記収容部１１の２つの側板１１１の間の距離を調整することにより、異なる幅を有する放熱基板２１、必要とする発光ダイオードモジュール３０、引っ掛け部１２、及びランプカバー５０などと係合する。
【００２１】
以上本発明を実施例に基づいて具体的に説明したが、本発明は、上述の実施例に限定されるものではなく、その要旨を逸脱しない範囲において、種々変更可能であることは言うまでもない。本発明の技術的範囲は、以下の特許請求の範囲によって定められる。
【符号の説明】
【００２２】
１０  支持架
１１  収容部
１２  引っ掛け部
２０  放熱装置
２１  放熱基板
２２  放熱フィン
３０  発光ダイオードモジュール
３１  金属基板
３２  発光ダイオード
３３  接線端子
４０  反射モジュール
４１  第一反射板
４２  第二反射板
４３  第一側反射板
４４  第二側反射板
５０  ランプカバー
６０  電源駆動モジュール
１１１  側板
１１２  バッフル板
１２１  積載板
１２２  支持板
１２２ａ  本体
１２２ｂ  係合板
１１１０  下固定部
１１１１  溝
１１１２  上壁
１１１３  下壁
１１１４  延伸板
１１２０  上固定部
１１３０  連接部
１１３１  溝
【図１】
2010219049.tif 000003
【図２】
2010219049.tif 000004
【図３】
2010219049.tif 000005
【図４】
2010219049.tif 000006